【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
入力された画像信号に対して、対象画素の周囲の画素を用いた所定の空間処理を行い、前記周囲情報を処理信号として出力する空間処理部と、
入力された前記画像信号および前記処理信号を入力とし、視覚処理された出力信号を出力する視覚処理部と、を備え、
前記視覚処理部が有する変換特性は、
（１）前記画像信号の値を所定のレベルに固定した場合に、前記処理信号の値に対して前記出力信号の値が単調減少し、かつ、
（２）前記画像信号の第１の値と、第２の値と、前記画像信号の第１の値に対応する前記出力信号の第１の値と、前記画像信号の第２の値に対応する前記出力信号の第２の値において、
（２ａ）前記画像信号の値と前記処理信号の値とが同じ値であり、前記画像信号の第１の値が、前記画像信号の第２の値よりも小さい場合に、前記画像信号の第１の値と、前記出力信号の第１の値との比が、前記画像信号の第２の値と、前記出力信号の第２の値との比よりも大きく、かつ、
（２ｂ）前記処理信号の値を所定のレベルに固定した場合に、前記画像信号の第１の値と前記出力信号の第１の値との比と、前記画像信号の第２の値と前記出力信号の第２の値との比とが略等しい、
特性を含むことを特徴とする、
視覚処理装置。
【請求項２】
入力された画像信号に対して、対象画素の周囲の画素を用いた所定の空間処理を行い、前記周囲情報を処理信号として出力する空間処理ステップと、
入力された前記画像信号および前記処理信号を入力とし、視覚処理された出力信号を出力する視覚処理ステップと、を備え、
前記視覚処理ステップが有する変換特性は、
（１）前記画像信号の値を所定のレベルに固定した場合に、前記処理信号の値に対して前記出力信号の値が単調減少し、かつ、
（２）前記画像信号の第１の値と、第２の値と、前記画像信号の第１の値に対応する前記出力信号の第１の値と、前記画像信号の第２の値に対応する前記出力信号の第２の値において、
（２ａ）前記画像信号の値と前記処理信号の値とが同じ値であり、前記画像信号の第１の値が、前記画像信号の第２の値よりも小さい場合に、前記画像信号の第１の値と、前記出力信号の第１の値との比が、前記画像信号の第２の値と、前記出力信号の第２の値との比よりも大きく、かつ、
（２ｂ）前記処理信号の値を所定のレベルに固定した場合に、前記画像信号の第１の値と前記出力信号の第１の値との比と、前記画像信号の第２の値と前記出力信号の第２の値との比とが略等しい、
特性を含むことを特徴とする、
視覚処理方法。
【請求項３】
入力された画像信号に対して、対象画素の周囲の画素を用いた所定の空間処理を行い、前記周囲情報を処理信号として出力する空間処理部と、
入力された前記画像信号および前記処理信号を入力とし、視覚処理された出力信号を出力する視覚処理部と、
前記出力信号を表示する表示部と、
を備え、
前記視覚処理部が有する変換特性は、
（１）前記画像信号の値を所定のレベルに固定した場合に、前記処理信号の値に対して前記出力信号の値が単調減少し、かつ、
（２）前記画像信号の第１の値と、第２の値と、前記画像信号の第１の値に対応する前記出力信号の第１の値と、前記画像信号の第２の値に対応する前記出力信号の第２の値において、
（２ａ）前記画像信号の値と前記処理信号の値とが同じ値であり、前記画像信号の第１の値が、前記画像信号の第２の値よりも小さい場合に、前記画像信号の第１の値と、前記出力信号の第１の値との比が、前記画像信号の第２の値と、前記出力信号の第２の値との比よりも大きく、かつ、
（２ｂ）前記処理信号の値を所定のレベルに固定した場合に、前記画像信号の第１の値と前記出力信号の第１の値との比と、前記画像信号の第２の値と前記出力信号の第２の値との比とが略等しい、
特性を含むことを特徴とする、
画像表示装置。
【請求項４】
映像信号を受信する受信部と、
前記映像信号を復号し画像信号を出力する復号部と、
入力された画像信号に対して、対象画素の周囲の画素を用いた所定の空間処理を行い、前記周囲情報を処理信号として出力する空間処理部と、
入力された前記画像信号および前記処理信号を入力とし、視覚処理された出力信号を出力する視覚処理部と、
前記出力信号を表示する表示部と、
を備え、
前記視覚処理部が有する変換特性は、
（１）前記画像信号の値を所定のレベルに固定した場合に、前記処理信号の値に対して前記出力信号の値が単調減少し、かつ、
（２）前記画像信号の第１の値と、第２の値と、前記画像信号の第１の値に対応する前記出力信号の第１の値と、前記画像信号の第２の値に対応する前記出力信号の第２の値において、
（２ａ）前記画像信号の値と前記処理信号の値とが同じ値であり、前記画像信号の第１の値が、前記画像信号の第２の値よりも小さい場合に、前記画像信号の第１の値と、前記出力信号の第１の値との比が、前記画像信号の第２の値と、前記出力信号の第２の値との比よりも大きく、かつ、
（２ｂ）前記処理信号の値を所定のレベルに固定した場合に、前記画像信号の第１の値と前記出力信号の第１の値との比と、前記画像信号の第２の値と前記出力信号の第２の値との比とが略等しい、
特性を含むことを特徴とする、
テレビジョン。
【請求項５】
映像信号を受信する受信部と、
前記映像信号を復号し画像信号を出力する復号部と、
入力された画像信号に対して、対象画素の周囲の画素を用いた所定の空間処理を行い、前記周囲情報を処理信号として出力する空間処理部と、
入力された前記画像信号および前記処理信号を入力とし、視覚処理された出力信号を出力する視覚処理部と、
前記出力信号を表示する表示部と、
を備え、
前記視覚処理部が有する変換特性は、
（１）前記画像信号の値を所定のレベルに固定した場合に、前記処理信号の値に対して前記出力信号の値が単調減少し、かつ、
（２）前記画像信号の第１の値と、第２の値と、前記画像信号の第１の値に対応する前記出力信号の第１の値と、前記画像信号の第２の値に対応する前記出力信号の第２の値において、
（２ａ）前記画像信号の値と前記処理信号の値とが同じ値であり、前記画像信号の第１の値が、前記画像信号の第２の値よりも小さい場合に、前記画像信号の第１の値と、前記出力信号の第１の値との比が、前記画像信号の第２の値と、前記出力信号の第２の値との比よりも大きく、かつ、
（２ｂ）前記処理信号の値を所定のレベルに固定した場合に、前記画像信号の第１の値と前記出力信号の第１の値との比と、前記画像信号の第２の値と前記出力信号の第２の値との比とが略等しい、
特性を含むことを特徴とする、
携帯端末装置。
【請求項６】
画像を行う撮影して画像信号を生成する撮影部と、
入力された画像信号に対して、対象画素の周囲の画素を用いた所定の空間処理を行い、前記周囲情報を処理信号として出力する空間処理部と、
入力された前記画像信号および前記処理信号を入力とし、視覚処理された出力信号を出力する視覚処理部と、
を備え、
前記視覚処理部が有する変換特性は、
（１）前記画像信号の値を所定のレベルに固定した場合に、前記処理信号の値に対して前記出力信号の値が単調減少し、かつ、
（２）前記画像信号の第１の値と、第２の値と、前記画像信号の第１の値に対応する前記出力信号の第１の値と、前記画像信号の第２の値に対応する前記出力信号の第２の値において、
（２ａ）前記画像信号の値と前記処理信号の値とが同じ値であり、前記画像信号の第１の値が、前記画像信号の第２の値よりも小さい場合に、前記画像信号の第１の値と、前記出力信号の第１の値との比が、前記画像信号の第２の値と、前記出力信号の第２の値との比よりも大きく、かつ、
（２ｂ）前記処理信号の値を所定のレベルに固定した場合に、前記画像信号の第１の値と前記出力信号の第１の値との比と、前記画像信号の第２の値と前記出力信号の第２の値との比とが略等しい、
特性を含むことを特徴とする、
カメラ。
【請求項７】
画像出力装置に用いられる集積回路であって、
入力された画像信号に対して、対象画素の周囲の画素を用いた所定の空間処理を行い、前記周囲情報を処理信号として出力する空間処理部と、
入力された前記画像信号および前記処理信号を入力とし、視覚処理された出力信号を出力する視覚処理部と、
を備え、
前記視覚処理部が有する変換特性は、
（１）前記画像信号の値を所定のレベルに固定した場合に、前記処理信号の値に対して前記出力信号の値が単調減少し、かつ、
（２）前記画像信号の第１の値と、第２の値と、前記画像信号の第１の値に対応する前記出力信号の第１の値と、前記画像信号の第２の値に対応する前記出力信号の第２の値において、
（２ａ）前記画像信号の値と前記処理信号の値とが同じ値であり、前記画像信号の第１の値が、前記画像信号の第２の値よりも小さい場合に、前記画像信号の第１の値と、前記出力信号の第１の値との比が、前記画像信号の第２の値と、前記出力信号の第２の値との比よりも大きく、かつ、
（２ｂ）前記処理信号の値を所定のレベルに固定した場合に、前記画像信号の第１の値と前記出力信号の第１の値との比と、前記画像信号の第２の値と前記出力信号の第２の値との比とが略等しい、
特性を含むことを特徴とする、
集積回路。
【請求項８】
コンピュータにより視覚処理を行う画像処理プログラムであって、
入力された画像信号に対して対象画素の周囲の画素を用いた所定の空間処理を行い、処理信号を出力する空間処理ステップと、
入力された前記画像信号および前記処理信号を入力とし、視覚処理された出力信号を出力する視覚処理ステップとを含む視覚処理方法をコンピュータに行わせるものであり  、
前記視覚処理ステップが有する変換特性は、
（１）前記画像信号の値を所定のレベルに固定した場合に、前記処理信号の値に対して前記出力信号の値が単調減少し、かつ、
（２）前記画像信号の第１の値と、第２の値と、前記画像信号の第１の値に対応する前記出力信号の第１の値と、前記画像信号の第２の値に対応する前記出力信号の第２の値において、
（２ａ）前記画像信号の値と前記処理信号の値とが同じ値であり、前記画像信号の第１の値が、前記画像信号の第２の値よりも小さい場合に、前記画像信号の第１の値と、前記出力信号の第１の値との比が、前記画像信号の第２の値と、前記出力信号の第２の値との比よりも大きく、かつ、
（２ｂ）前記処理信号の値を所定のレベルに固定した場合に、前記画像信号の第１の値と前記出力信号の第１の値との比と、前記画像信号の第２の値と前記出力信号の第２の値との比とが略等しい、
特性を含むことを特徴とする、
画像処理プログラム。